【手続補正書】
【提出日】平成18年7月27日(2006.7.27)
【手続補正１】
【補正対象書類名】明細書
【補正対象項目名】特許請求の範囲
【補正方法】変更
【補正の内容】
【特許請求の範囲】
【請求項１】  下記成分及びその任意の反応生成物を含んでなる樹脂組成物。
（ａ）式Ｉの構造単位と式IIの繰返し又は反復構造単位とを含んでなる１種類以上のポリエステルカーボネート、
【化１】
2002523594.tif 000001
（式中、Ｄは二価芳香族基である。）
【化２】
2002523594.tif 000002
（式中、Ｄは上記で定義した通りであり、Ｒ1は式III及び式IVから選択される１以上の二価部分である。）
【化３】
2002523594.tif 000003
（ｂ）１種類以上の付加重合体、及び
（ｃ）０℃以上のガラス転移点を有する式Ｖの１種類以上のホスホルアミド化合物
【化４】
2002523594.tif 000004
（式中、Ｑは酸素であり、Ｒ2はアミン残基であり、Ｒ3及びＲ4は各々独立にアルキルオキシ残基、アルキルチオ残基、アリールオキシ残基、アリールチオ残基、１以上のアルキル置換基もしくはハロゲン置換基もしくはそれらの混合置換基を有するアリールオキシ残基もしくはアリールチオ残基、又はアミン残基である。）
【請求項２】  前記ホスホルアミド化合物が式XIIのホスホルアミドである、請求項１記載の組成物。
【化５】
2002523594.tif 000005
式中、各Ｑは酸素であり、Ａ2-5は各々２，６−ジメチルフェノキシ基又は２，４，６−トリメチルフェノキシ基である。
【請求項３】  前記ホスホルアミド化合物が式XIIのホスホルアミドである、請求項２記載の組成物。
【化６】
2002523594.tif 000006
式中、各Ｑは酸素であり、Ａ2-5は各々２，６−ジメチルフェノキシ基である。
【請求項４】  前記ホスホルアミドすべてが０℃以上のガラス転移点を有する、請求項１記載の組成物。
【請求項５】  Ｒ2が式XVIのものである、請求項１記載の組成物。
【化７】
2002523594.tif 000007
式中、
各Ｑは酸素であり、
Ａ21-23は各々独立にアルキルオキシ残基、アルキルチオ残基、アリールオキシ残基、アリールチオ残基、１以上のアルキル置換基を有するアリールオキシ残基もしくはアリールチオ残基、又はアミン残基であり、
各Ｚ1はアルキル基、芳香族基、又は１以上のアルキル置換基を有する芳香族基であり、
各Ｘ1はアルキリデン基、芳香族基、又は１以上のアルキル置換基を有する芳香族基であり、
ｎは０〜５であり、
Ｒ3及びＲ4は各々独立にアルキルオキシ残基、アルキルチオ残基、アリールオキシ残基、アリールチオ残基、１以上のアルキル置換基を有するアリールオキシ残基もしくはアリールチオ残基、又はアミン残基である。
【請求項６】  Ｒ2が式XVIIのものである、請求項１記載の組成物。
【化８】
2002523594.tif 000008
式中、
各Ｑは酸素であり、
各Ｘ2はアルキリデン、アリール又はアルカリールであり、
各Ｚ2はアルキリデンであり、
Ｒ15、Ｒ16及びＲ17は各々独立にアルキルオキシ残基、アリールオキシ残基、１以上のアルキル置換基を有するアリールオキシ残基、又はアミン残基であり、
ｎは０〜５であり、
Ｒ3及びＲ4は各々独立にアルキルオキシ残基、アルキルチオ残基、アリールオキシ残基、アリールチオ残基、１以上のアルキル置換基を有するアリールオキシ残基もしくはアリールチオ残基、又はアミン残基である。
【請求項７】  １種類以上のホスホルアミド化合物が、０．１２５インチ×０．５インチ×５インチ（３．２ｍｍ×１２．７ｍｍ×１２７ｍｍ）の寸法の試験片で測定してアンダーライターズラボラトリーＵＬ−９４規格でＶ−０、Ｖ−１又はＶ−２の難燃性評価を当該樹脂組成物に付与するのに有効な量で存在する、請求項１乃至請求項６のいずれか１項記載の組成物。
【請求項８】  樹脂材料１００部当たりのリンの合計量が０．１重量部〜３重量部である、請求項１乃至請求項７のいずれか１項記載の組成物。
【請求項９】  塩素及び臭素を実質的に含まない、請求項１乃至請求項８のいずれか１項記載の組成物。
【請求項１０】  下記成分及びその任意の反応生成物を含んでなる樹脂組成物。
（ａ）式Ｉの構造単位と式IIの繰返し又は反復構造単位とを含んでなる１種類以上のポリエステルカーボネート、
【化９】
2002523594.tif 000009
（式中、Ｄは二価芳香族基である。）
【化１０】
2002523594.tif 000010
（式中、Ｄは上記で定義した通りであり、Ｒ1は式III及び式IVから選択される１以上の二価部分である。）
【化１１】
2002523594.tif 000011
（ｂ）１種類以上の付加重合体、及び
（ｃ）０℃以上のガラス転移点を有する式XIVの１種類以上のホスホルアミド
【化１２】
2002523594.tif 000012
（式中、
各Ｑは酸素であり、
Ａ11-16は各々独立にアルキルオキシ残基、アルキルチオ残基、アリールオキシ残基、アリールチオ残基、１以上のアルキル置換基を有するアリールオキシ残基もしくはアリールチオ残基、又はアミン残基である。）
【請求項１１】  下記成分及びその任意の反応生成物を含んでなる樹脂組成物。
（ａ）式Ｉの構造単位と式IIの繰返し又は反復構造単位とを含んでなる１種類以上のポリエステルカーボネート、
【化１３】
2002523594.tif 000013
（式中、Ｄは二価芳香族基である。）
【化１４】
2002523594.tif 000014
（式中、Ｄは上記で定義した通りであり、Ｒ1は式III及び式IVから選択される１以上の二価部分である。）
【化１５】
2002523594.tif 000015
（ｂ）１種類以上の付加重合体、及び
（ｃ）０℃以上のガラス転移点を有する式XVIIIの１種類以上の環式ホスホルアミド
【化１６】
2002523594.tif 000016
（式中、Ｑは酸素であり、Ｒ18-21は各々独立に水素又はアルキル基であり、Ｘ3はアルキリデン基であり、ｎは０又は１であり、Ａ24は、脂肪族、脂環式、芳香族もしくはアルカリール系の第一アミン又は第二アミンから誘導される基、或いはＡ24は複素環式アミンから誘導される基、或いはＡ24はヒドラジン化合物である。）。
【請求項１２】  下記成分及びその任意の反応生成物を含んでなる樹脂組成物。
（ａ）式Ｉの構造単位と式IIの繰返し又は反復構造単位とを含んでなる１種類以上のポリエステルカーボネート、
【化１７】
2002523594.tif 000017
（式中、Ｄは二価芳香族基である。）
【化１８】
2002523594.tif 000018
（式中、Ｄは上記で定義した通りであり、Ｒ1は式III及び式IVから選択される１以上の二価部分である。）
【化１９】
2002523594.tif 000019
（ｂ）１種類以上の付加重合体、及び
（ｃ）０℃以上のガラス転移点を有する式XIXの１種類以上の環式ホスホルアミド
【化２０】
2002523594.tif 000020
（式中、各Ｑは酸素であり、Ｒ22-29は各々独立に水素又はアルキル基であり、Ｘ4はアルキリデン基であり、ｍ及びｎは各々独立に０又は１であり、Ａ25は
【化２１】
2002523594.tif 000021
（式中、Ｇ1はイオウ、アルキル基、アリール基又はアルカリール基であり、各Ｚ3は独立にアルキル基又はアリール基である）であるか、或いはＡ25は
【化２２】
2002523594.tif 000022
（式中、Ｇ2はアルキル、アリール又はアルカリールであり、Ｙ2はアルキルである）である。）
【請求項１３】  下記成分及びその任意の反応生成物を含んでなる樹脂組成物。
（ａ）式Ｉの構造単位と式IIの繰返し又は反復構造単位とを含んでなる１種類以上のポリエステルカーボネート、
【化２３】
2002523594.tif 000023
（式中、Ｄは二価芳香族基である。）
【化２４】
2002523594.tif 000024
（式中、Ｄは上記で定義した通りであり、Ｒ1は式III及び式IVから選択される１以上の二価部分である。）
【化２５】
2002523594.tif 000025
（ｂ）１種類以上の付加重合体、及び
（ｃ）２０℃以上のガラス転移点を有する式XIIのホスホルアミド
【化２６】
2002523594.tif 000026
（式中、各Ｑは酸素であり、Ａ2-5は各々２，６−ジメチルフェノキシ基又は２，４，６−トリメチルフェノキシ基である。）
【請求項１４】  ＤがビスフェノールＡから誘導される単位からなる、請求項１乃至請求項１３のいずれか１項記載の組成物。
【請求項１５】  Ｄが６，６′−ジヒドロキシ−３，３，３′，３′−テトラメチル−１，１′−スピロビインダンから誘導される単位からなる、請求項１乃至請求項１３のいずれか１項記載の組成物。
【請求項１６】  Ｒ1がイソフタル酸、テレフタル酸及びナフタレン−２，６−ジカルボン酸の１以上から誘導される単位からなる、請求項１乃至請求項１５のいずれか１項記載の組成物。
【請求項１７】  Ｒ1がイソフタル酸とテレフタル酸の混合物から誘導される単位からなる、請求項１乃至請求項１５のいずれか１項記載の組成物。
【請求項１８】  イソフタル酸とテレフタル酸との重量比が９５：５〜５：９５である、請求項１７記載の組成物。
【請求項１９】  イソフタル酸とテレフタル酸との重量比が９３：７〜５０：５０である、請求項１８記載の組成物。
【請求項２０】  式Ｉの単位と式IIの単位との重量比が１０：９０〜９０：１０である、請求項１乃至請求項１９のいずれか１項記載の組成物。
【請求項２１】  式Ｉの単位と式IIの単位との重量比が２０：８０〜４０：６０である、請求項２０記載の組成物。
【請求項２２】  前記付加重合体がアルケニル芳香族化合物の共重合体である、請求項１乃至請求項２１のいずれか１項記載の組成物。
【請求項２３】  前記アルケニル芳香族化合物がスチレンである、請求項２２記載の組成物。
【請求項２４】  前記付加重合体が１種類以上のスチレン−アクリロニトリル共重合体である、請求項２３記載の組成物。
【請求項２５】  前記付加重合体が２種類のスチレン−アクリロニトリル共重合体の組合せである、請求項２４記載の組成物。
【請求項２６】  前記スチレン−アクリロニトリル共重合体の一方がＡＢＳ共重合体である、請求項２５記載の組成物。
【請求項２７】  全樹脂成分を基準として、５５重量％〜９５重量％のポリエステルカーボネートと５重量％〜４５重量％の付加重合体を含む、請求項１乃至請求項２６のいずれか１項記載の組成物。
【請求項２８】  請求項１乃至請求項２７のいずれか１項記載の組成物から製造した製品。
【請求項２９】  当該製品が、陰極線管用偏向ヨーク、テレビ用偏向ヨーク、スリットタイプ偏向ヨーク、モールドコイル偏向ヨーク、テレビ用バックプレート、ドッキングステーション、ペデスタル、ベゼル、パレット、スイッチ、スイッチ用ハウジング、プラグ、プラグ用ハウジング、電気コネクタ、接続器具、ソケット、テレビ用ハウジング、コンピューター用ハウジング、デスクトップコンピューター用ハウジング、ポータブルコンピューター用ハウジング、ラップトップコンピューター用ハウジング、パームヘルド型コンピューター用ハウジング、モニター用ハウジング、プリンター用ハウジング、キーボード、ファックス機用ハウジング、コピー機用ハウジング、電話機用ハウジング、携帯電話機用ハウジング、無線送信機用ハウジング、無線受信機用ハウジング、照明器具、充電器用ハウジング、電池用ハウジング、自動車用電装部品、アンテナ用ハウジング、変圧器用ハウジング、モデム、カートリッジ、ネットワークインターフェース装置用ハウジング、回路遮断器用ハウジング、計器用ハウジング、ウェット及びドライ電気製品用パネル、食器洗い機用パネル、洗濯機用パネル、衣類乾燥機用パネル、冷蔵庫用パネル、暖房・換気装置用筐体、ファン、エアコン用ハウジング、公共交通機関用の外装材もしくはシート、又は電車もしくは地下鉄もしくはバス用の外装材もしくはシートである、請求項２８記載の製品。
【請求項３０】  ０．１２５インチ×０．５インチ×５インチ（３．２ｍｍ×１２．７ｍｍ×１２７ｍｍ）の寸法の試験片で測定してアンダーライターズラボラトリーＵＬ−９４規格でＶ−２以上の難燃性評価を組成物に付与するのに有効な量のホスホルアミド化合物を含む難燃性組成物の加熱撓み温度を上昇させる方法であって、当該方法が、下記成分（ａ）、（ｂ）及び（ｃ）を混合することを含んでなる方法。
（ａ）式Ｉの構造単位と式IIの繰返し又は反復構造単位とを含んでなる１種類以上のポリエステルカーボネート、
【化２７】
2002523594.tif 000027
（式中、Ｄは二価芳香族基である。）
【化２８】
2002523594.tif 000028
（式中、Ｄは上記で定義した通りであり、Ｒ1は式III及び式IVから選択される１以上の二価部分である。）
【化２９】
2002523594.tif 000029
（ｂ）１種類以上の付加重合体、及び
（ｃ）０℃以上のガラス転移点を有する式Ｖの１種類以上のホスホルアミド化合物
【化３０】
2002523594.tif 000030
（式中、Ｑは酸素であり、Ｒ2はアミン残基であり、Ｒ3及びＲ4は各々独立にアルキルオキシ残基、アルキルチオ残基、アリールオキシ残基、アリールチオ残基、１以上のアルキル置換基もしくはハロゲン置換基もしくはそれらの混合置換基を有するアリールオキシ残基もしくはアリールチオ残基、又はアミン残基である。）
【請求項３１】  前記ホスホルアミド化合物が式XIIのホスホルアミドである、請求項３０記載の方法。
【化３１】
2002523594.tif 000031
式中、各Ｑは酸素であり、Ａ2-5は各々２，６−ジメチルフェノキシ基又は２，４，６−トリメチルフェノキシ基である。
【請求項３２】  前記ホスホルアミド化合物が式XIIのホスホルアミドである、請求項３１記載の方法。
【化３２】
2002523594.tif 000032
式中、Ｑは酸素であり、Ａ2-5は各々２，６−ジメチルフェノキシ基である。
【請求項３３】  前記ホスホルアミドすべてが０℃以上のガラス転移点を有する、請求項３０記載の方法。
【請求項３４】  Ｒ2が式XVIのものである、請求項３０記載の方法。
【化３３】
2002523594.tif 000033
式中、
各Ｑは酸素であり、
Ａ21-23は各々独立にアルキルオキシ残基、アルキルチオ残基、アリールオキシ残基、アリールチオ残基、１以上のアルキル置換基を有するアリールオキシ残基もしくはアリールチオ残基、又はアミン残基であり、
各Ｚ1はアルキル基、芳香族基、又は１以上のアルキル置換基を有する芳香族基であり、
各Ｘ1はアルキリデン基、芳香族基、又は１以上のアルキル置換基を有する芳香族基であり、
ｎは０〜５であり、
Ｒ3及びＲ4は各々独立にアルキルオキシ残基、アルキルチオ残基、アリールオキシ残基、アリールチオ残基、１以上のアルキル置換基を有するアリールオキシ残基もしくはアリールチオ残基、又はアミン残基である。
【請求項３５】  Ｒ2が式XVIIのものである、請求項３０記載の方法。
【化３４】
2002523594.tif 000034
式中、
各Ｑは酸素であり、
各Ｘ2はアルキリデン、アリール又はアルカリールであり、
各Ｚ2はアルキリデンであり、
Ｒ15、Ｒ16及びＲ17は各々独立にアルキルオキシ残基、アリールオキシ残基、１以上のアルキル置換基を有するアリールオキシ残基もしくはアリールチオ残基、又はアミン残基であり、
ｎは０〜５であり、
Ｒ3及びＲ4は各々独立にアルキルオキシ残基、アルキルチオ残基、アリールオキシ残基、アリールチオ残基、１以上のアルキル置換基を有するアリールオキシ残基もしくはアリールチオ残基、又はアミン残基である。
【請求項３６】  １種類以上のホスホルアミド化合物が、０．１２５インチ×０．５インチ×５インチ（３．２ｍｍ×１２．７ｍｍ×１２７ｍｍ）の寸法の試験片で測定してアンダーライターズラボラトリーＵＬ−９４規格でＶ−０、Ｖ−１又はＶ−２の難燃性評価を当該樹脂組成物に付与するのに有効な量で存在する、請求項３０乃至請求項３５のいずれか１項記載の方法。
【請求項３７】  樹脂材料１００部当たりのリンの合計量が０．１重量部〜３重量部である、請求項３０乃至請求項３６のいずれか１項記載の方法。
【請求項３８】  前記組成物がＶ−１以上の難燃性評価を有する、請求項３０記載の方法。
【請求項３９】  前記組成物がＶ−０以上の難燃性評価を有する、請求項３０記載の方法。
【請求項４０】  前記組成物が塩素及び臭素を実質的に含まない、請求項３０乃至請求項３９のいずれか１項記載の方法。
【請求項４１】  ０．１２５インチ×０．５インチ×５インチ（３．２ｍｍ×１２．７ｍｍ×１２７ｍｍ）の寸法の試験片で測定してアンダーライターズラボラトリーＵＬ−９４規格でＶ−２以上の難燃性評価を組成物に付与するのに有効な量のホスホルアミド化合物を含む難燃性組成物の加熱撓み温度を上昇させる方法であって、当該方法が、下記成分（ａ）、（ｂ）及び（ｃ）を混合することを含んでなる方法。
（ａ）式Ｉの構造単位と式IIの繰返し又は反復構造単位とを含んでなる１種類以上のポリエステルカーボネート、
【化３５】
2002523594.tif 000035
（式中、Ｄは二価芳香族基である。）
【化３６】
2002523594.tif 000036
（式中、Ｄは上記で定義した通りであり、Ｒ1は式III及び式IVから選択される１以上の二価部分である。）
【化３７】
2002523594.tif 000037
（ｂ）１種類以上の付加重合体、及び
（ｃ）２０℃以上のガラス転移点を有する式XIIのホスホルアミド
【化３８】
2002523594.tif 000038
（式中、各Ｑは酸素であり、Ａ2-5は各々２，６−ジメチルフェノキシ基又は２，４，６−トリメチルフェノキシ基である。）
【請求項４２】  ＤがビスフェノールＡから誘導される単位からなる、請求項３０乃至請求項４１のいずれか１項記載の方法。
【請求項４３】  Ｄが６，６′−ジヒドロキシ−３，３，３′，３′−テトラメチル−１，１′−スピロビインダンから誘導される単位からなる、請求項３０乃至請求項４１のいずれか１項記載の方法。
【請求項４４】  Ｒ1がイソフタル酸、テレフタル酸及びナフタレン−２，６−ジカルボン酸の１以上から誘導される単位からなる、請求項３０乃至請求項４３のいずれか１項記載の方法。
【請求項４５】  Ｒ1がイソフタル酸とテレフタル酸の混合物から誘導される単位からなる、請求項３０乃至請求項４３のいずれか１項記載の方法。
【請求項４６】  イソフタル酸とテレフタル酸との重量比が９５：５〜５：９５である、請求項４５記載の方法。
【請求項４７】  イソフタル酸とテレフタル酸との重量比が９３：７〜５０：５０である、請求項４６記載の方法。
【請求項４８】  式Ｉの単位と式IIの単位との重量比が１０：９０〜９０：１０である、請求項３０乃至請求項４７のいずれか１項記載の方法。
【請求項４９】  式Ｉの単位と式IIの単位との重量比が２０：８０〜４０：６０である、請求項４８記載の方法。
【請求項５０】  前記付加重合体がアルケニル芳香族化合物の共重合体である、請求項３０乃至請求項４９のいずれか１項記載の方法。
【請求項５１】  前記アルケニル芳香族化合物がスチレンである、請求項５０記載の方法。
【請求項５２】  前記付加重合体が１種類以上のスチレン−アクリロニトリル共重合体である、請求項５１記載の方法。
【請求項５３】  前記付加重合体が２種類のスチレン−アクリロニトリル共重合体の組合せである、請求項５２記載の方法。
【請求項５４】  前記スチレン−アクリロニトリル共重合体の一方がＡＢＳ共重合体である、請求項５３記載の方法。
【請求項５５】  全樹脂成分を基準として、５５重量％〜９５重量％のポリエステルカーボネート部分と５重量％〜４５重量％の付加重合体を含む、請求項３０記乃至請求項５４のいずれか１項載の方法。